(57)【要約】【課題】プラグコネクタに不用意な力が作用してもプラグコネクタがベースコネクタから抜出さないコネクタ構造を提供する【解決手段】プラグハウジング１０は側壁１５前寄りに外方向に膨出する第１係止部１５０、後寄りに外方向に膨出する第２係止部１５４を備え、ベースハウジング７０は側壁７５前寄りに窪地状の第１被係止部７５０、後寄りに窪地状の第２被係止部７５２を備え、プラグコネクタ１は嵌合開始位置から水平姿勢のままベースコネクタ７に対して垂直降下し、第１係止部１５０は第１被係止部７５０を移動し、第２係止部１５４は第２被係止部７５２を移動し最降下位置にまで達する。最降下位置から水平姿勢のまま前方へ移動して嵌合終了位置に至る。嵌合終了位置で第１係止面１５１は第１抑止面に対峙し、第２係止面１５７は第２抑止面に対峙し、これにより上方向の抜出しが抑止される。【選択図】  図１
2020031046.tif 000002
【特許請求の範囲】
【請求項１】
前方に相手コンタクトに接続する接触部、後方に電線に接続する接続部を有する前後方向に延びるプラグコンタクトと、前記プラグコンタクトを左右方向に複数列配置するプラグハウジングとを備えたプラグコネクタと、前方に回路基板に接続する接続部、後方に前記プラグコンタクトに接続する接触部を有するベースコンタクトと、前記ベースコンタクトを左右方向に複数列配置するベースハウジングとを備えた、前記プラグコネクタが上方から下方に移動して嵌合するベースコネクタとからなるコネクタ構造であって、
前記プラグハウジングは側壁前寄りに外方向に膨出する第１係止部、後寄りに外方向に膨出する第２係止部を備え、
前記第１係止部は上面の少なくとも一部に前後方向に延びる第１係止面を備え、
前記第２係止部は上面の少なくとも一部に前後方向に延びる第２係止面を備え、
前記ベースハウジングは側壁前寄りに前記第１係止部に対応する第１被係止部、後寄りに前記第２係止部に対応する第２被係止部を備え、
前記第１被係止部は前記側壁内側の窪地状の第１被係止空間と前記第１被係止空間の後方上部に位置する第１抑止部とを備え、
前記第２被係止部は前記側壁内側の窪地状の第２被係止空間と前記第２被係止空間の後方上部に位置する第２抑止部とを備え、
嵌合開始位置から前記プラグコネクタは水平姿勢で前記ベースコネクタに対して垂直に降下し、前記第１係止部は前記第１被係止空間を移動し、前記第２係止部は前記第２被係止空間を移動し、前記プラグコネクタは最降下位置付近から水平姿勢のまま後方へ移動して嵌合終了位置になり、前記嵌合終了位置で前記第１係止面は前記第１抑止部の下面で上方向の抜出しが抑止され、前記第２係止面は前記第２抑止部の下面で上方向の抜出しが抑止されるところに特徴を有するコネクタ構造。
【請求項２】
前記ベースコンタクトの前記接触部は板片を有し、前記プラグコンタクトの前記接触部は前記板片を挟持可能な一対の板片を有し、
前記プラグコネクタが前記ベースコネクタに対して前記嵌合開始位置から前記最降下位置にある間、前記プラグコンタクトの前記接触部は前記ベースコンタクトの前記接触部に干渉することなく移動可能で、前記最降下位置から前記嵌合終了位置に移動過程で前記プラグコンタクトの前記一対の板片は前記ベースコンタクトの前記板片に接続するところに特徴を有する請求項１記載のコネクタ構造。
【請求項３】
前記プラグコネクタは前記側壁前方の下方寄りに内外方向に撓み可能な係止レバーを備え、前記係止レバーには係止凸部が備わり、前記ベースコネクタは前記第１被係止空間の前方下方寄りに前記係止凸部に対応する被係止凸部を備え、嵌合過程で前記プラグコネクタが前記最降下位置から前記嵌合終了位置まで移動する間に前記係止凸部が前記被係止凸部を乗り越えるところに特徴を有する請求項１又は２記載のコネクタ構造。
【請求項４】
前記プラグハウジングの左右方向の中央部の後方に中央係止部が備わり、前記ベースハウジングの左右方向の中央部の後方に中央被係止部が備わり、前記プラグコネクタの前記ベースコネクタに対する前記嵌合開始位置から前記最降下位置への垂直移動過程では、前記中央係止部と前記中央被係止部とは干渉せずに移動し、前記最降下位置から前記嵌合終了位置への水平移動過程では、前記中央係止部と前記中央被係止部とが係止状態になり、前記プラグコネクタの上方向への抜出しが抑制されるところに特徴を有する請求項１から３のうち一項記載のコネクタ構造。
【請求項５】
前記プラグハウジングの左右方向の中央部の前方に中央穴部が備わり、前記ベースハウジングの前壁の左右方向の中央部には後方に延びるロックレバーが備わり、前記ロックレバーの先端上面には中央突部が備わり、前記プラグコネクタの前記ベースコネクタに対す
る前記嵌合終了位置で、前記中央穴部と前記中央突部とが係止し、前記プラグコネクタの前方への抜出しが抑止されるところに特徴を有する請求項１から４のうち一項記載のコネクタ構造。
【請求項６】
前方に相手コンタクトに接続する接触部、後方に電線に接続する接続部を有する前後方向に延びるプラグコンタクトと、前記プラグコンタクトを左右方向に複数列配置するプラグハウジングとを備えたプラグコネクタと、前方に回路基板に接続する接続部、後方に前記プラグコンタクトに接続する接触部を有するベースコンタクトと、前記ベースコンタクトを左右方向に複数列配置するベースハウジングとを備えた、前記プラグコネクタが上方から下方に移動して嵌合するベースコネクタとからなるコネクタ構造であって、
前記プラグハウジングは側壁前寄りに外方向に膨出する第１係止部、後寄りに外方向に膨出する第２係止部を備え、
前記第１係止部は上面の少なくとも一部に前後方向に延びる第１係止面を備え、
前記第２係止部は上面の少なくとも一部に前後方向に延びる第２係止面を備え、
前記ベースハウジングは側壁前寄りに前記第１係止部に対応する窪地状の第１溝部、後寄りに前記第２係止部に対応する窪地状の第２溝部を備え、
前記第１溝部は上下方向に延びる前面及び後面を有し、前記前面上部から後方に延びる第１抑止部を備え、
前記第２溝部は上下方向に延びる前面及び後面を有し、前記前面上部から後方に延びる第２抑止部を備え、
嵌合開始位置から前記プラグコネクタは水平姿勢で前記ベースコネクタに対して垂直に降下し、前記第１係止部は前記第１溝部を移動し、前記第２係止部は前記第２溝部を移動し、前記プラグコネクタは最降下位置付近から水平姿勢のまま前方へ移動して嵌合終了位置になり、前記嵌合終了位置で前記第１係止面は前記第１抑止部の下面で上方向の抜出しが抑止され、前記第２係止面は前記第２抑止部の下面で上方向の抜出しが抑止されるところに特徴を有するコネクタ構造。
【請求項７】
請求項４記載の第１係止部の下面には下方に向かう係止部突起が有り、対応する前記第１被係止部の底面には上方に向かう溝部突起が有り、前記プラグコネクタが前記最降下位置から前記嵌合終了位置に移動する過程で前記係止部突起が前記溝部突起を乗り越える乗り越え位置があるところに特徴を有する請求項６記載のコネクタ構造。
【請求項８】
請求項６記載の第２係止部は上下方向に延びる縦部と前記縦部の前面下部から前方へ突出する突出部とを備え、前記縦部は後面に上下方向に延びるガイド面を備え、
前記嵌合開始位置から前記最降下位置まで前記ガイド面は前記第２被係止部の後面に接する姿勢で移動するところに特徴を有する請求項６記載のコネクタ構造。
【請求項９】
前記プラグハウジングの前壁上端から前方に延びる取出し部が備わるところに特徴を有する請求項１から８のうち一項記載のコネクタ構造。
【請求項１０】
前記取出し部の左右方向の中央部に切り欠きによるロックレバーが備わり、前記ロックレバーの下面側には係止部が備わり、前記嵌合終了位置で前記係止部の位置に対応する前記ベースハウジングの前壁の左右方向の中央部の位置に前記係止部と係止する被係止部が備わり、前記プラグコネクタの前方への抜出しが抑制されるところに特徴を有する請求項９記載のコネクタ構造。
【発明の詳細な説明】
【技術分野】
【０００１】
本発明は、ハウジングの側面に形成された嵌合面で互いに嵌合接続されるプラグコネクタと、ベースコネクタとのコネクタ構造に関する。
【０００２】
この分野の技術として特許文献１記載の技術が知られている。この技術によれば、プラグコネクタ（ケーブルコネクタ）の電線に不用意な力が作用しても、そして、その力が上向き方向の成分を伴っていても、プラグコネクタを意図的に抜出させない限り外れないコネクタ構造の提供を目的とするものである。
【０００３】
文献１記載のプラグコネクタは、突部前縁と突部後縁が形成されたロック突部を側壁面に有し、ベースコネクタ（リセプタクルコネクタ）は前後方向でロック突部に対応する位置で溝部前縁と溝部後縁が形成されたロック溝部を側壁面に有し、ロック溝部には溝部前縁から溝内方へ突出する突出部が設けられている。ロック突部が嵌合方向でロック溝部内に進入してプラグコネクタの前端側が持ち上がった上向き傾斜姿勢から嵌合終了の姿勢となったコネクタ嵌合状態では、プラグコネクタが後端側を持ち上げられて抜出方向に移動されようとしたとき、ロック突部が抜出方向で突出部と当接してプラグコネクタの抜出が阻止されるようになっている。
【先行技術文献】
【特許文献】
【０００４】
【特許文献１】特開２０１３−１５７３２９号公報
【発明の概要】
【発明が解決しようとする課題】
【０００５】
このように、文献１記載の技術はプラグコネクタの姿勢の変化に応じてロック突部の位置が変化し突部上辺が突出部の下辺に係ることにより、プラグコネクタの抜出方向の移動が阻止されるというものである。ここでロック突部の位置の変化はロック突部側を中心とするプラグコネクタの回転によって生じるものであって、このときの回転は、段落００３３、００３４、及び図３に示されるように、ロック突部２１を中心として突部後縁２１Ｂの最後方位置をロック溝部５７の溝部後縁５７Ｂの垂直部５７Ｂ−２に当接させながら生じるものである。すなわち回転動作をしながらロック突部は溝部後縁から離れて前方向へスライド移動するようなことはなく、常に突部後縁を溝部後縁に押し当てた状態で回転するものである。したがって、回転によって生じるロック突部の変位距離は極めて少なくなるのであって、ロック突部と突出部との十分な係止量を確保することは困難であると思われる。
【０００６】
また、コンタクトの極数がたとえば１０〜２０極程度に増えてコネクタが幅方向に延びた場合には、上述したようにロック突部の変位距離が極めて少ないので、嵌合時プラグコネクタの中央部に反嵌合側に撓みが生じこの範囲のコンタクトが浮いた状態いわゆる半嵌合状態のままでロック突部の係止が完了するおそれがある。
【０００７】
本発明は、上述した問題に鑑みてなされたものであり、プラグコネクタに不用意な力が作用してもプラグコネクタがベースコネクタから抜出されないコネクタ構造を提供することを課題とする。
【課題を解決するための手段】
【０００８】
本発明のコネクタ構造は、（１）前方に相手コンタクトに接続する接触部、後方に電線
に接続する接続部を有する前後方向に延びるプラグコンタクトと、前記プラグコンタクトを左右方向に複数列配置するプラグハウジングとを備えたプラグコネクタと、前方に回路基板に接続する接続部、後方に前記プラグコンタクトに接続する接触部を有するベースコンタクトと、前記ベースコンタクトを左右方向に複数列配置するベースハウジングとを備えた、前記プラグコネクタが上方から下方に移動して嵌合するベースコネクタとからなるコネクタ構造であって、
前記プラグハウジングは側壁前寄りに外方向に膨出する第１係止部、後寄りに外方向に膨出する第２係止部を備え、前記第１係止部は上面の少なくとも一部に前後方向に延びる第１係止面を備え、前記第２係止部は上面の少なくとも一部に前後方向に延びる第２係止面を備え、前記ベースハウジングは側壁前寄りに前記第１係止部に対応する第１被係止部、後寄りに前記第２係止部に対応する第２被係止部を備え、前記第１被係止部は前記側壁内側の窪地状の第１被係止空間と前記第１被係止空間の後方上部に位置する第１抑止部とを備え、前記第２被係止部は前記側壁内側の窪地状の第２被係止空間と前記第２被係止空間の後方上部に位置する第２抑止部とを備え、
嵌合開始位置から前記プラグコネクタは水平姿勢で前記ベースコネクタに対して垂直に降下し、前記第１係止部は前記第１被係止空間を移動し、前記第２係止部は前記第２被係止空間を移動し、前記プラグコネクタは最降下位置付近から水平姿勢のまま後方へ移動して嵌合終了位置に至り、前記嵌合終了位置で前記第１係止面は前記第１抑止部の下面の第１抑止面で上方向の抜出しが抑止され、前記第２係止面は前記第２抑止部の下面の第２抑止面で上方向の抜出しが抑止されるところに特徴を有するコネクタ構造。
【０００９】
この発明によれば、（１）プラグコネクタはベースコネクタに対して水平姿勢で垂直降下し最降下位置で水平姿勢のまま前方へ移動し嵌合終了位置に至る。嵌合終了位置で第１係止部は第１抑止部に下方に潜り込み、第２係止部は第２抑止部の下方に潜り込む。
このように、プラグコネクタの嵌合動作は最降下位置から後方への移動を伴うので、第１係止部と第１抑止部とは深く上下方向に重なり合い、第２係止部と第２抑止部とは同じく上下方向に深く重なり合うことができる。これにより、係止面と抑止面との間で抜出し阻止のために十分な係止量が確保されることとなるので、プラグコネクタに不用意な力が作用してもプラグコネクタがベースコネクタから抜出されないコネクタ構造が得られる。
【００１０】
好ましくは本発明のコネクタ構造は、（２）前記ベースコンタクトの前記接触部は板片を有し、前記プラグコンタクトの前記接触部は前記板片を挟持可能な一対の板片を有し、前記プラグコネクタが前記ベースコネクタに対して前記嵌合開始位置から前記最降下位置にある間、前記プラグコンタクトの前記接触部は前記ベースコンタクトの前記接触部に干渉することなく移動可能で、前記最降下位置から前記嵌合終了位置までの移動過程で前記プラグコンタクトの前記一対の板片は前記ベースコンタクトの前記板片に接続するところに特徴を有する（１）記載のものである。
【００１１】
この発明によれば、プラグコネクタの嵌合開始位置から最降下位置までの間ではプラグコンタクトとベースコンタクトとは干渉しないので、プラグ側及びベース側のハウジング相互の嵌合面のクリアランスを調整することでプラグコネクタは嵌合開始位置から自重で水平姿勢のまま最降下位置に達することができる。これにより、コンタクトの極数が増えてプラグハウジングがピッチ方向に長くなった場合でもプラグハウジングの中央部が反嵌合側に撓みこの範囲のコンタクトが浮いたいわゆる半嵌合状態のままでロック突部が係止することが抑止されるコネクタ構造が得られる。
【００１２】
好ましくは本発明のコネクタ構造は、（３）前記プラグコネクタは前記側壁前方の下方寄りに内外方向に撓み可能な係止レバーを備え、前記係止レバーには係止凸部が備わり、前記ベースコネクタは前記第１被係止空間の前方下方寄りに前記係止凸部に対応する被係止凸部を備え、嵌合過程で前記プラグコネクタが前記最降下位置から前記嵌合終了位置ま
で移動する間に前記係止凸部が前記被係止凸部を乗り越えるところに特徴を有する（１）又は（２）記載のものである。
【００１３】
この発明によれば、プラグコネクタが嵌合終了位置の手前で、係止レバーの係止凸部が第１被係止空間の被係止凸部と干渉しさらに進んだ位置で乗り越える。これにより前後方向の抜出しが抑止されるコネクタが得られる。また乗り越え時には作業者に力の変化によるクリック間を与えることができる。
係止レバーは前後方向に延びる一方を自由端とする片持ち梁状のレバーであってよく、この自由端に係止凸部が備わる構造であってよい。
【００１４】
好ましくは、本発明のコネクタ構造は、（４）前記プラグハウジングの左右方向の中央部の後方に中央係止部が備わり、前記ベースハウジングの左右方向の中央部の後方に中央被係止部が備わり、前記プラグコネクタの前記ベースコネクタに対する前記嵌合開始位置から前記最降下位置への垂直移動過程では、前記中央係止部と前記中央被係止部とは干渉せずに移動し、前記最降下位置から前記嵌合終了位置への水平移動過程では、前記中央係止部と前記中央被係止部とが係止状態になり、前記プラグコネクタの上方向への抜出しが抑止されるところに特徴を有する請求項１から３のうち一項記載のものである。
【００１５】
この発明によれば、幅方向（左右方向）の中央部にプラグハウジングとベースハウジングとの係止機構が備わるので、プラグハウジングの中央部の反りが抑制され、上方向の抜出しが抑制されたコネクタ構造が得られる。
【００１６】
好ましくは、本発明のコネクタ構造は、（５）前記プラグハウジングの左右方向の中央部の前方に中央穴部が備わり、前記ベースハウジングの前壁の左右方向の中央部には後方に延びるロックレバーが備わり、前記ロックレバーの先端上面には中央突部が備わり、前記プラグコネクタの前記ベースコネクタに対する前記嵌合終了位置で、前記中央穴部と前記中央突部とが係止し、前記プラグコネクタの前方への抜出しが抑止されるところに特徴を有する請求項１から４のうち一項記載のものである。
【００１７】
この発明によれば、幅方向（左右方向）の中央部にプラグハウジングと、ベースハウジングとのロック機構が備わるので、プラグハウジングの前方への抜出しが抑制されたコネクタ構造が得られる。
【００１８】
本発明のコネクタ構造は、（６）前方に相手コンタクトに接続する接触部、後方に電線に接続する接続部を有する前後方向に延びるプラグコンタクトと、前記プラグコンタクトを左右方向に複数列配置するプラグハウジングとを備えたプラグコネクタと、前方に回路基板に接続する接続部、後方に前記プラグコンタクトに接続する接触部を有するベースコンタクトと、前記ベースコンタクトを左右方向に複数列配置するベースハウジングとを備えた、前記プラグコネクタが上方から下方に移動して嵌合するベースコネクタとからなるコネクタ構造であって、
前記プラグハウジングは側壁前寄りに外方向に膨出する第１係止部、後寄りに外方向に膨出する第２係止部を備え、前記第１係止部は上面の少なくとも一部に前後方向に延びる第１係止面を備え、前記第２係止部は上面の少なくとも一部に前後方向に延びる第２係止面を備え、前記ベースハウジングは側壁前寄りに前記第１係止部に対応する窪地状の第１溝部、後寄りに前記第２係止部に対応する窪地状の第２溝部を備え、前記第１溝部は上下方向に延びる前面及び後面を有し、前記前面上部から後方に延びる第１抑止部を備え、前記第２溝部は上下方向に延びる前面及び後面を有し、前記前面上部から後方に延びる第２抑止部を備え、
嵌合開始位置から前記プラグコネクタは水平姿勢で前記ベースコネクタに対して垂直に降下し、前記第１係止部は前記第１溝部を移動し、前記第２係止部は前記第２溝部を移動
し、前記プラグコネクタは最降下位置付近から水平姿勢のまま前方へ移動して嵌合終了位置になり、前記嵌合終了位置で前記第１係止面は前記第１抑止部の下面で上方向の抜出しが抑止され、前記第２係止面は前記第２抑止部の下面で上方向の抜出しが抑止されるところに特徴を有するものである。
【００１９】
この発明によれば、プラグコネクタはベースコネクタに対して水平姿勢で垂直降下し最降下位置で水平姿勢のまま前方へ移動し嵌合終了位置に至る。嵌合終了位置で第１係止部は第１抑止部の下方に潜り込み、第２係止部は第２抑止部の下方に潜り込む。
このように、プラグコネクタの嵌合動作は最降下位置から前方への移動を伴うので、第１係止部と第１抑止部とは深く上下方向に重なり合い、第２係止部と第２抑止部とは同じく上下方向に深く重なり合うことができる。これにより、係止面と抑止面との間で抜出し阻止のために十分な係止量が確保されるので、プラグコネクタに不用意な力が作用してもプラグコネクタがベースコネクタから抜出されないコネクタ構造が得られる。
【００２０】
好ましくは本発明のコネクタ構造は、（７）前記第１係止部の下面には下方に向かう係止部突起が有り、対応する前記第１溝部の底面には上方に向かう溝部突起が有り、前記プラグコネクタが前記最降下位置から前記嵌合終了位置に移動する過程で前記係止部突起が前記溝部突起を乗り越える乗り越え位置があるところに特徴を有する（６）記載のものである。
【００２１】
この発明によれば、プラグコネクタが嵌合終了位置の手前で、第１係止部の係止部突起が第１溝部の溝部突起と干渉し、さらに進んで乗り越えるので、この間に作業者は力の強弱変化によるクリック感を感得することができる。
【００２２】
好ましくは本発明のコネクタ構造は、（８）上記（６）記載の第２係止部は上下方向に延びる縦部と前記縦部の前面下部から前方へ突出する突出部とを備え、前記縦部は後面に上下方向に延びるガイド面を備え、前記嵌合開始位置から前記最降下位置まで前記ガイド面は前記第２被係止部の後面に接する姿勢で移動するところに特徴を有する（６）記載のものである。
【００２３】
この発明によれば、第２係止部のガイド面が第２溝部の後面に接した姿勢でプラグコネクタは最降下位置まで案内されるので、プラグコネクタを水平姿勢のままで垂直移動させることができるコネクタ構造が得られる。
【００２４】
好ましくは本発明のコネクタ構造は、（９）前記プラグハウジングの前壁上端から前方に延びる取出し部が備わるところに特徴を有する（１）から（８）のうち一項記載のものである。
【００２５】
この発明によれば、プラグハウジングの前壁に取出し部が備わるので、プラグコネクタの抜出操作が容易におこなえるコネクタ構造が得られる。
【００２６】
好ましくは、本発明のコネクタ構造は、（１０）前記取出し部の左右方向の中央部に切り欠きにより形成されたロックレバーが備わり、前記ロックレバーの下面側には係止部が備わり、前記嵌合終了位置で前記係止部の位置に対応する前記ベースハウジングの前壁の左右方向の中央部の位置に前記係止部と係止する被係止部が備わり、前記プラグコネクタの前方への抜出しが抑止されるところに特徴を有する請求項９記載のものである。
【００２７】
この発明によれば、取出し部の中央部にロックレバーによるロック機構が備わるので、操作が確実でプラグハウジングの前方への抜出しが抑制されたコネクタ構造が得られる。
【図面の簡単な説明】
【００２８】
【図１】図１は本発明の実施形態に係るプラグコネクタとベースコネクタとの外観斜視図であって、（１）は離間した状態のコネクタ構造、（２）はプラグコネクタの裏面である。
【図２】図２は図１のＩＩ−ＩＩ断面におけるプラグコネクタとこれに対応する位置のベースコネクタの断面図で、（１）は嵌合開始位置、（２）は最降下位置、（３）は嵌合終了位置である。
【図３】図３は図１のＩＩＩ−ＩＩＩ断面におけるプラグコネクタとこれに対応する位置のベースコネクタの断面図で、（１）は嵌合開始位置、（２）は最降下位置、（３）は嵌合終了位置である。
【図４】図４は本発明に係るコンタクトの外観斜視図で、（１）はプラグコンタクト、（２）はベースコンタクトである。
【図５】図５は図１のＶ−Ｖ断面におけるプラグコネクタとこれに対応する位置のベースコネクタの断面図で、（１）は最降下位置、（２）は乗り越え位置、（３）は嵌合終了位置である。
【図６】図６は第２実施形態の側壁の断面図で、（１）は嵌合開始位置、（２）は最降下位置、（３）は嵌合終了位置である。
【図７】図７は第２実施形態のコンタクトの嵌合状態を示す断面図で、（１）は最降下位置、（２）は嵌合終了位置である。
【図８】図８は第２実施形態に係るコンタクトの外観斜視図で、（１）はプラグコンタクト、（２）はベースコンタクトである。
【図９】図９は第３実施形態の嵌合開始位置にあるプラグコネクタとこれに対応する位置のベースコネクタの側壁の断面図である。
【図１０】図１０は第４実施形態に係るプラグコネクタとベースコネクタとの外観斜視図であって、（１）は離間した状態のコネクタ構造、（２）はプラグコネクタの裏面である。
【図１１】図１１は図１０のＸＩ−ＸＩ断面におけるプラグコネクタとこれに対応する位置のベースコネクタの断面図であって、（１）は嵌合開始位置、（２）は最降下位置、（３）は嵌合終了位置である。
【図１２】図１２は図１０のＸＩＩ−ＸＩＩ断面におけるプラグコネクタとこれに対応する位置のベースコネクタの断面図で、（１）は最降下位置、（２）は乗り越え位置、（３）は嵌合終了位置である。
【図１３】図１３は第５実施形態に係るプラグコネクタとベースコネクタとの外観斜視図であって、（１）は嵌合状態のコネクタ構造、（２）はプラグハウジングの裏面、（３）はベースコネクタの表面である。
【図１４】図１４は図１３のＸＩＶ−ＸＩＶ断面線における断面図であって、（１）は最降下位置、（２）は嵌合終了位置である。
【図１５】図１５は第６実施形態に係るプラグコネクタとベースコネクタとの外観斜視図であって、（１）は嵌合状態のコネクタ構造、（２）はプラグハウジングの裏面、（３）はベースコネクタの表面である。
【図１６】図１６は図１５のＸＶＩ−ＸＶＩ断面線における断面図であって、（１）は最降下位置、（２）は嵌合終了位置である。
【発明を実施するための形態】
【００２９】
本発明の実施形態を添付図面に基づいて説明するが、本発明の技術的範囲はこれらの実施形態によって限定されるものではなく、発明の要旨を逸脱しない範囲で実施することができる。図１は本発明の実施形態に係るプラグコネクタとベースコネクタとの外観斜視図であって、（１）は離間した状態のコネクタ構造、（２）はプラグコネクタの裏面である。図２は図１のＩＩ−ＩＩ断面におけるプラグコネクタとこれに対応する位置のベースコネクタの断面図で、（１）は嵌合開始位置、（２）は最降下位置、（３）は嵌合終了位置
である。図３は図１のＩＩＩ−ＩＩＩ断面におけるプラグコネクタとこれに対応する位置のベースコネクタの断面図で、（１）は嵌合開始位置、（２）は最降下位置、（３）は嵌合終了位置である。図４は本発明に係るコンタクトの外観斜視図で、（１）はプラグコンタクト、（２）はベースコンタクトである。図５は図１のＶ−Ｖ断面におけるプラグコネクタとこれに対応する位置のベースコネクタの断面図で、（１）は最降下位置、（２）は乗り越え位置、（３）は嵌合終了位置である。
なお、説明中の指示方向は原則対象図面に示す方向定義にしたがう。
【００３０】
＜コネクタ構造＞
本実施形態に係るコネクタ構造は、図１に示されるように、低背型の箱状で電線に接続するプラグコネクタ１と回路基板に接続するベースコネクタ７とからなる。コネクタ構造の嵌合面は側壁面及び前壁面にあり、プラグコネクタ１はベースコネクタ７の上方から水平姿勢で嵌合される。プラグコネクタ１は、電線Ｗを後面から後方へ延出するとともに側壁に嵌合面を有するので低背化に適したコネクタ構造が得られる。
【００３１】
プラグコネクタ１は、図１に示されるように、非導電性のプラグハウジング１０と導電性のプラグコンタクト２０とからなる。プラグハウジング１０は合成樹脂の射出成形品である。プラグコンタクト２０は銅合金の圧延切り出し材を塑性加工したもので電気特性や耐久性を向上させるために表面がめっき処理されている。
【００３２】
プラグハウジング１０は、図１〜図３に示されるように、低背型の箱状で後壁１４には電線Ｗが延出する開口部１４０が備わる。開口部１４０は左右方向に沿って等間隔に備わり内部のコンタクト収容室１４１に繋がる。左右側壁１５、１５及びこれに直交する前壁１３には外周面に嵌合面が形成される。プラグハウジング１０の上下面は、上壁１１及び底壁１２で覆われている。前壁１３上端には、前方に張出す取出し部１３ａが形成され、上壁１１には平坦面が形成されている。
【００３３】
プラグハウジング１０の側壁１５面には、図１、図２に示されるように、前寄り下部に外方向に膨出する第１係止部１５０が備わり、これより離間した後寄りに外方向に膨出する第２係止部１５４が備わる。第１係止部１５０は前後方向にやや長い平面視矩形状で上面には平坦な第１係止面１５１が備わり、下面には中央部に下方向に突出した係止部突起１５０ａが備わる。第２係止部１５４は平面視逆Ｌ字状で上下方向に延びる縦長の縦部１５５と縦部１５５の前面下部から前方向に突出する突出部１５６が備わる。縦部１５５の後面には垂直に延びる平坦なガイド面１５５ａが形成され、突出部１５６の上面には水平方向に延びる平坦な第２係止面１５７が形成されている。
【００３４】
プラグコンタクト２０は、図３、図４に示されるように、電線Ｗに接続する接続部２１、相手方コンタクトに接続する接触部２３、及び両者を繋ぐ連結部２２が天面を共通にして軸方向に配置されている。プラグコンタクト２０がプラグハウジング１０のコンタクト収容室１４１に収容されたとき、コンタクト収容室１４１の上壁面とこの天面とが重なり合うように接する。接触部２３は一対の板片からなる挟持片２４を備え、挟持片２４は相手方コンタクトを前方から後方へ誘うように前端部がラッパ状に開口している。挟持片２４の上方には天面が前端部近くまで延びているが、相手方コンタクトの接触部の進入を許容するための空間は確保されている。
【００３５】
プラグコンタクト２０の接続部２１は、図３、図４に示されるように、電線Ｗの導体部とかしめ加工によって接続される。連結部２２は下方向に延びる係止部２５を備える。プラグコンタクト２０がコンタクト収容室１４１に収容されたとき、係止部２５がコンタクト収容室１４１の被係止部１２ａと係止して所定位置に固定される。
【００３６】
プラグコンタクト２０は、図１に示されるように、プラグハウジング１０のコンタクト収容室１４１に収容されたとき、底壁１２の前半分に形成された開口部１２ｂから接触部２３が露出する。接触部２３の下方に形成された一対の板片からなる挟持片２４は開口部を通して相手コンタクトと接続する。
【００３７】
ベースコネクタ７は、図１、図３に示されるように、非導電性のベースハウジング７０と導電性のベースコンタクト８０とからなる。ベースハウジング７０は合成樹脂の射出成形品である。ベースコンタクト８０は銅合金の圧延切り出し材を塑性加工したもので電気特性や耐久性を向上させるために表面が錫などでめっき処理されている。
【００３８】
ベースハウジング７０は、図１、図２に示されるように、箱状のプラグハウジング１０を上方から収容可能な底壁７２を有する額縁状で、プラグハウジング１０の左側壁１５、右側壁１５及び前壁１３に形成された嵌合面に対応するようにベースハウジング７０の左側壁７５内面、右側壁７５内面及びこれに連なる前壁７３内面に嵌合面が形成されている。底壁７２は後方半分に開口部７２ａが形成されている。前壁７３は側壁７５と同じ程度の厚みを有し内部にはプラグコンタクト２０を圧入保持するための圧入孔が形成されている。後壁７４上面にはプラグコネクタ１後面から延出される電線Ｗを受ける湾曲状の座面が左右方向に形成されている。
【００３９】
ベースハウジング７０の左側壁７５内面、右側壁７５内面には、図１、図２に示されるように、前寄りに窪地状の第１溝部７５０が備わり、これより離間した後寄りに窪地状の第２溝部７５２が備わる。第１溝部７５０には前面７５０ａ及び後面７５０ｂが備わり、前面７５０ａ上部からは溝部内方に突出する第１抑止部７５１が備わる。第１溝部７５０の底面７５０ｃには前寄りに上方向に突出した突起７５０ｄが備わる。第２溝部７５２には前面７５２ａ及び後面７５２ｂが備わり、前面上部からは溝部内方に突出する第２抑止部７５３が備わる。このように第１溝部７５０及び第２溝部７５２ともに平面視逆Ｌ字状である。
【００４０】
ベースコンタクト８０は、図３、図４に示されるように、板状の本体部８２の一端には相手コンタクトに接続する接触部８３、他端には回路基板に接続する接続部８１が連なる。接触部８３は単体の板片で嵌合時には先端部からプラグコンタクト２０の一対の板片からなる挟持片２４の間に進入嵌合する。接続部８１は階段状に後方下方に延び下面で図示しない回路基板に接続される。
【００４１】
ベースコンタクト８０は、図１、図３に示されるように、ベースハウジング７０の前壁７３に形成された圧入孔に圧入保持され、等間隔で幅方向（左右方向）に沿って配置される。ベースハウジング７０に保持されたベースコンタクト８０は接触部８３が収容室７１ａに露出する。圧入保持された接触部８３は衝立状に幅方向（左右方向）に等間隔に並ぶ。
【００４２】
圧入保持されたベースコンタクト８０の接続部８１は、図３に示されるように、前壁７３下端より前方に延出し下面で図示しない回路基板に接続する。前壁７３より延出する接続部８１は等間隔で幅方向（左右方向）に並ぶ。
【００４３】
＜嵌合過程＞
プラグコネクタ１は、図２、図３に示されるように、ベースコネクタ７の上方から挿入される。プラグコネクタ１はベースコネクタ７の略真上に水平姿勢で保持され、水平姿勢のまま垂直に降下され最降下位置に達する。プラグコネクタ１は最降下位置から水平姿勢のまま前方向に移動され嵌合終了位置に至る。嵌合終了位置にあるプラグコネクタ１とベースコネクタ７とは、側壁にある前後２箇所の係止部で係止され嵌合状態が固く保持され
る。
【００４４】
嵌合開始位置にあるプラグコネクタ１は、図２に示されるように、水平姿勢でベースコネクタ７の略真上にある。プラグハウジング１０の側壁１５に形成された第１係止部１５０の前後幅寸法Ｂ１は、ベースハウジング７０の側壁７５に形成された第１溝部７５０間口の前後幅寸法Ａ１よりも小さい。また第２係止部１５４の最大幅寸法Ｂ２は、第２溝部７５２間口の前後幅寸法Ａ２よりも小さい。第１係止部１５０、第２係止部１５４ともに前面及び後面は略垂直面であり、また第１溝部７５０、第２溝部７５２ともに前面７５０ａ、７５２ａ及び後面７５０ｂ、７５２ｂは略垂直面である。第１溝部７５０、第２溝部７５２ともに間口は相手係止部を誘導するようにテーパー面が付けられている。さらに第２係止部１５４の縦部１５５に形成されたガイド面１５５ａは垂直方向に略プラグハウジング１０の厚み相当分平坦に延びている。
【００４５】
嵌合開始位置にあるプラグコネクタ１は、図２に示されるように、第１係止部１５０、第２係止部１５４ともに各々第１溝部７５０、第２溝部７５２よりも幅寸法が小さいので水平姿勢のままで進入が許容される。進入が許容されたプラグコネクタ１は、第２係止部１５４のガイド面１５５ａが第２溝部７５２の後面７５２ｂに接する状態で水平姿勢を保ち、このままの状態で垂直降下され最降下位置に至る。最降下位置にあるプラグコネクタ１は底壁１２下面がベースコネクタ７の底壁７２上面に接する状態で静止する。
【００４６】
嵌合開始位置から最降下位置に至る嵌合過程でプラグコンタクト２０は、図３に示されるように、ベースコンタクト８０に対して常に離間している。これにより、プラグコンタクト２０の接触部２３はベースコンタクト８０の接触部８３に対してこの間干渉することなく移動する。したがって嵌合開始位置から最降下位置に至る嵌合過程でコンタクト同士の干渉によってプラグコネクタ１が上向き傾斜姿勢を強いられることはなく、常に水平姿勢を保つことができる。さらにプラグハウジング１０とベースハウジング７０との嵌合面同士のクリアランスを調整することでプラグコネクタ１は自重で嵌合開始位置から最降下位置まで移動するようにもできる。
【００４７】
最降下位置にあるプラグコネクタ１とベースコネクタ７とは、図２、図３に示されるように、第１係止部１５０は第１溝部７５０の第１抑止部７５１の下方空間に進入が許容される位置にあり、第２係止部１５４は突出部１５６が第２溝部７５２の第２抑止部７５３の下方空間に進入が許容される位置にある。プラグコネクタ１の前方への水平移動は水平姿勢のまま底壁１２下面をベースハウジング７０の底壁７２上面に摺動させて行われる。
【００４８】
最降下位置にあるプラグコネクタ１は、図２、図３に示されるように、ベースコネクタ７に対して水平姿勢のまま前方へ移動され嵌合終了位置に至る。この水平方向の移動により第１係止部１５０は第１溝部７５０の第１抑止部７５１の下方空間に進入開始し、第２係止部１５４の突出部１５６は第２溝部７５２の第２抑止部７５３の下方空間に進入開始する。最降下位置から嵌合終了位置に至る移動途中で第１係止部１５０の下面に形成された係止部突起１５０ａは第１溝部７５０の底面７５０ｃに形成された突起７５０ｄを乗り越える乗り越え位置を通過する。乗り越え位置付近では突起部同士が干渉するのでこれまでよりは若干強い力を要することとなる。乗り越え位置付近を通過し終えたところで一気に嵌合終了位置に至り、この間に作業者にはクリック感が感得される。
【００４９】
最降下位置にあるプラグコンタクト２０は、図３、図５に示されるように、ベースコンタクト８０に対して同軸線上にあり接続開始前の状態である。プラグコンタクト２０の接触部２３はベースコンタクト８０の接触部８３の若干後方位置にある。プラグコンタクト２０の接触部２３に備わる一対の板片からなる挟持片２４はラッパ状に開く間口をベースコンタクト８０の接触部８３に向けている。挟持片２４とベースコンタクト８０の接触部
８３とは同軸線上（前後方向）に沿って嵌合接続する。
【００５０】
プラグコネクタ１が乗り越え位置を通過する前後位置でプラグコンタクト２０の一対の板片からなる挟持片２４とベースコンタクト８０の接触部８３とは接続を開始する。プラグコネクタ１のベースコネクタ７に対する前方への移動によって嵌合終了位置に至る。
【００５１】
嵌合終了位置にあるプラグコネクタ１は、図２、図３、図５に示されるように、ベースコネクタ７に対して第１係止部１５０が第１溝部７５０の第１抑止部７５１の下方空間の奥部に達し、第２係止部１５４の突出部１５６が第２溝部７５２の第２抑止部７５３の下方空間の奥部に達する。このように前後方向の係止量が十分多く確保されるので、不用意な力が作用してもプラグコネクタ１がベースコネクタ７から抜出されないコネクタ構造が得られる。このときプラグコンタクト２０の接触部２３の一対の板片からなる挟持片２４はベースコンタクト８０の接触部８３を深部で挟持している。
【００５２】
嵌合終了位置にある第１係止部１５０は、図２に示されるように、前後方向寸法の半分程度が第１抑止部７５１に重なり合い、上方向の抜出しが抑制されている。また第２係止部１５４の突出部１５６は前後方向寸法の略全体が第２抑止部７５３に重なり合い、上方向の抜出しが抑制されている。嵌合終了位置にあるプラグコネクタ１に抜出し方向の力、特に上向き成分を含む力が作用した場合、第１係止部１５０上面に形成された平坦な第１係止面１５１は、十分な係止量をもって第１抑止部７５１の平坦な第一抑止面に当接する。また第２係止部１５４の突出部１５６の上面に形成された平坦な第２係止面１５７は、同じく十分な係止量をもって第２抑止部７５３の平坦な第２抑止面に当接する。このようにしてプラグコネクタ１は側壁１５に備わる前後２箇所の係止部がベースコネクタ７の側壁７５に備わる前後２箇所の溝部の抑止部でともに十分な係止量を持って何れも面で保持されるので不用意な力が作用しても抜出しが抑止されたコネクタ構造が得られる。
【００５３】
＜取り出し過程＞
嵌合状態にあるプラグコネクタ１のベースコネクタ７からの取り出しは嵌合手順の逆手順によっておこなわれる。嵌合終了位置にあるプラグコネクタ１の前壁１３上端に備わる取出し部１３ａの先端を後方へ向けて押し出すと、図２、図３、図５に示されるように、プラグコネクタ１はベースコネクタ７に対して嵌合姿勢（水平姿勢）のまま後方への移動を開始する。後方への移動途中に乗り越え位置を通過し最終的には押し切り位置となる最降下位置に至る。最降下位置にあるプラグコネクタ１は、第１係止部１５０、第２係止部１５４ともにベースコネクタ７の第１抑止部７５１、第２抑止部７５３による各々上方向への抜出し抑止が解除される。これにより、プラグコネクタ１をベースコネクタ７に対して垂直方向に持上げることにより容易に取り出し操作がおこなえる。プラグコンタクト２０とベースコンタクト８０との接続状態は、嵌合終了位置からの後方への移動過程で解かれ、接触部２３の挟持片２４はベースコンタクト８０の接触部８３から外れる。
【００５４】
＜効果＞
プラグコネクタ１をベースコネクタ７に対して垂直降下させたときプラグコンタクト２０とベースコンタクト８０とは干渉しないので、１０〜２０極程度の多極化が可能な低背型のコネクタ構造が得られる。
プラグコネクタ１をベースコネクタ７に対して垂直降下させたときプラグコンタクト２０とベースコンタクト８０とは干渉しないので、プラグコネクタ１が自重で垂直降下可能なコネクタ構造が得られる。
【００５５】
プラグコネクタ１の垂直降下の最降下位置からの前方への水平移動によってベースコネクタ７に対する前後２箇所の係止機構は作用するので、係止量の十分ある保持力の大きなコネクタ構造が得られる。
プラグコネクタ１の前方への水平移動の途中で乗り越え位置を通過するタイミングと、プラグコンタクト２０の接触部２３とベースコンタクト８０の接触部８３との接触タイミングを調整することで、嵌合フィーリングのよいコネクタ構造が得られる。
【００５６】
側壁の前寄り及び後寄りの離れた２箇所に係止部と溝部とからなる係止機構が備わるので嵌合開始時のプラグコネクタ１の傾斜姿勢が抑制されたコネクタ構造が得られる。
側壁前寄りの係止機構は後方から延出する電線が回路基板の下方に引き回されたときコンタクト同士の接続外れを抑止でき、側壁後寄りの係止機構は後方から延出する電線が上向きに引き回されたときコンタクト同士の接続外れを抑止できるコネクタ構造が得られる。
【００５７】
＜他の実施形態＞
本発明の技術的範囲は本実施形態に限定的に解釈されるものではなく発明の要旨を逸脱しない範囲で各構成要素を適宜変更が可能である。特に材料、材質、形状、大きさ、配置個数、設置箇所などは本実施形態に限定的に解釈されるものではない。図６は第２実施形態の側壁の断面図で、（１）は嵌合開始位置、（２）は最降下位置、（３）は嵌合終了位置である。図７は第２実施形態のコンタクトの嵌合状態を示す断面図で、（１）は最降下位置、（２）は嵌合終了位置である。図８は第２実施形態に係るコンタクトの外観斜視図で、（１）はプラグコンタクト、（２）はベースコンタクトである。図９は第３実施形態の嵌合開始位置にあるプラグコネクタとこれに対応する位置のベースコネクタの側壁の断面図である。
【００５８】
＜第２実施形態＞
第２実施形態に係るプラグコネクタ１は、図６、図７に示されるように、ベースコネクタ７に対して最降下位置から後方へ移動し嵌合終了位置に達するものである。第２係止部１５４は縦部１５５の後面下部から後方へ突出する突出部１５６´を備える。第２溝部７５２はこれに対応するように第２抑止部７５３´が後面上部から第２溝部内方に突出している。また第１溝部７５０の溝部突起７５０´ｄ、第１抑止部７５１´の位置も必要な変更がなされている。
プラグコネクタ１の後方への移動によって嵌合終了位置に達するのに対応してプラグコンタクト２０、ベースコンタクト８０は、図８に示されるように、形状に必要な変更が加えられている。プラグコンタクト２０の接触部２３´は後方に開口部が位置するように挟持片２４´が形成されている。
ベースコンタクト８０は、図７、図８に示されるように、接触部８３´の上辺にコ字状の切り欠きが形成され、プラグコンタクト２０の挟持片２４´と前方から後方へ嵌合するように構成されている。
このように実施形態を変更した場合でも概ね上述した効果が得られる。
【００５９】
＜第３実施形態＞
第３実施形態に係るコネクタ構造は、図９に示されるように、プラグコネクタ１には第１溝部７５０´´、第２溝部７５２´´が形成され、ベースコネクタ７にはこれに対応する位置に第１係止部１５０´´、第２係止部１５４´´が形成されている。プラグコネクタ１は水平姿勢のまま垂直降下され最降下位置に達し、ここより前方への水平移動によって嵌合終了位置に至る。図示しないプラグコンタクトとベースコンタクトは上述した第１実施形態（本実施形態）のプラグコンタクト、ベースコンタクト８０を使用してよい。
このように変更した場合でも概ね上述した効果が得られる。
【００６０】
＜第４実施形態＞
第４実施形態に係るコネクタ構造を図に従って説明する。図１０は第４実施形態に係るプラグコネクタとベースコネクタとの外観斜視図であって、（１）は離間した状態のコネ
クタ構造、（２）はプラグコネクタの裏面である。図１１は図１０のＸＩ−ＸＩ断面におけるプラグコネクタとこれに対応する位置のベースコネクタの断面図であって、（１）は嵌合開始位置、（２）は最降下位置、（３）は嵌合終了位置である。図１２は図１０のＸＩＩ−ＸＩＩ断面におけるプラグコネクタと、これに対応する位置のベースコネクタの断面図で、（１）は最降下位置、（２）は乗り越え位置、（３）は嵌合終了位置である。
【００６１】
第４実施形態に係るプラグコネクタ１は、図１０、図１１に示されるように、ベースコネクタ７に対して垂直方向に降下され最降下位置に達し、この最降下位置から後方へ移動して嵌合終了位置に至る。
プラグハウジング１０は、図１０に示されるように、側壁１５外面の前後方向中央部に矩形状に膨出した第１係止部１５０´を備え、第１係止部１５０´より後方に矩形状に膨出した第２係止部１５４´を備え、前方には係止レバー１７を備える。
【００６２】
第１係止部１５０´は、図１０に示されるように、平面視矩形状の張り出しで下面は略プラグハウジング１０の底面にまで達し、上面はプラグハウジング１０の上面よりも一段低い位置にまで延びている。第１係止部１５０´の上面は平坦な第１係止面１５１´を備えている。
第２係止部１５４´は、図１０に示されるように、第１係止部１５０´から離間して側壁１５の後方下端に備わる。第２係止部１５４´は平面視矩形状の張り出しで下面は略プラグハウジング１０の底面にまで達し、上面は側壁１５高さの中間位置辺りにまで延びている。また後面はプラグハウジング１０の後壁１４後面よりもやや前方位置にまで延びている。第２係止部１５４´の上面は平坦な第２係止面１５７´を備えている。
【００６３】
係止レバー１７は、図１０に示されるように、前後方向に延びる片持ち状の梁で後端が自由端、前端が固定端である。係止レバー１７は側壁１５下方に備わり側壁１５面に対して内外方向に弾性的に変位しうる。係止レバー１７の先端には外方向に突状の係止凸部１８が備わる。
ベースハウジング７０は、図１０に示されるように、側壁１５内側の中央から後方にかけて窪地状の第１被係止部７５００を備え、第１被係止部７５００より後方位置に窪地状の第２被係止部７５２０を備える。
【００６４】
第１被係止部７５００は、図１０に示されるように、窪地状の第１被係止空間７５００ａと第１抑止部７５１´とを備える。第１被係止空間７５００ａは側壁７５下面にまで達しベースハウジング７０の底壁７２で閉じられている。第１被係止空間７５００ａは、嵌合過程でプラグハウジング１０の第１係止部１５０´が移動する空間である。第１被係止空間７５００ａは、第１係止部１５０´が嵌合過程でスムーズに移動できるように第１被係止空間７５００ａを区画する壁面とこれに対峙する第１係止部１５０´の周面との間には適切なクリアランスが設けられている。第１被係止空間７５００ａの下方中央部には内向きに張出した被係止凸部７５０ｄ´が備わる。
【００６５】
第１抑止部７５１´は、図１０に示されるように、第１被係止空間７５００ａの後方上部の位置に備わる。第１抑止部７５１´は平面視台形状の上下方向にあまり厚みのない張り出しである。第１抑止部７５１´は、プラグコネクタ１が嵌合終了位置にあるとき第１係止部１５０´に対して上方向の抜出し抑止の作用をする。
第１抑止部７５１´の上面はベースハウジング７０の側壁７５上面と同じ高さの位置にあり、下面は嵌合終了位置にあるプラグハウジング１０の第１係止部１５０´の第１係止面１５１´と対峙する位置にある。第一抑止部７５１´の下面には平坦な第１抑止面７５１´ａが備わる。
【００６６】
被係止凸部７５０ｄ´は、図１０に示されるように、平面視台形状の突起である。プラ
グコネクタ１とベースコネクタ７との嵌合過程で係止レバー１７の係止凸部１８は、被係止凸部７５０ｄ´を乗り越えて乗り越え位置より先に進み嵌合終了位置に至る。嵌合終了位置における係止凸部１８と被係止凸部７５０ｄ´との係止状態によりプラグコネクタ１の前方向への抜出しが抑止される。
【００６７】
第２被係止部７５２０は、図１０に示されるように、窪地状の第２被係止空間７５２０ａと第２抑止部７５３´とを備える。第２被係止空間７５２０ａはベースハウジング７０の側壁７５下面にまで達しベースハウジング７０の底壁７２後方の開口部に連なる。第２被係止部７５２０は、嵌合過程でプラグハウジング１０の第２係止部１５４´が移動しうる空間である。第２被係止空間７５２０ａの上端の開口部は、第２係止部１５４´が通過できる大きさであり大きくテーパー面が備わる。プラグコネクタ１のベースコネクタ７に対する水平姿勢で第２被係止空間７５２０ａの前後間口寸法は、第２係止部１５４´の前後寸法よりも大きい。
【００６８】
第２抑止部７５３´は、図１０に示されるように、第２被係止空間７５２０ａの後方上部の位置に備わる。第２抑止部７５３´は平面視矩形状の張り出しで第１抑止部７５１´に比べて上下方向に厚みを有している。第２抑止部７５３´の下面はベースハウジング７０の側壁７５の上下方向中央よりもやや下寄りの位置にある。第２抑止部７５３´の下面後部には下方に延びる押し当て部７５３´ｂが備わる。第２抑止部７５３´は、プラグコネクタ１とベースコネクタ７とが嵌合終了位置にあるときプラグコネクタ１の上方向の抜出しを抑止する。
【００６９】
第２抑止部７５３´の上面はベースハウジング７０の側壁７５の上面と同じ位置にあり、下面は嵌合終了位置にあるプラグハウジング１０の第２係止部１５４´の第２係止面１５７´と対峙する位置にある。第２抑止部７５３´の下面には第２係止部１５４´と対峙する前部に平坦な第２抑止面７５３´ａが備わり、後部には押し当て部７５３´ｂが備わる。押し当て部７５３´ｂは側壁７５下面にまで延びている。
【００７０】
＜嵌合過程＞
プラグコネクタ１は、図１１に示されるように、ベースコネクタ７に対して水平姿勢で嵌合開始位置にある。
ステップ１、図１１の（１）に示されるように、プラグハウジング１０の第１係止部１５０´、第２係止部１５４´は、其々ベースハウジング７０の第１被係止空間７５００ａ、第２被係止空間７５２０ａの間口に向かって垂直方向に降下される。第１被係止空間７５００ａの前後間口寸法Ａ１は、第１係止部１５０´及び係止レバー１７を一体的に含む前後寸法Ｂ１に比べて大きく、第２被係止空間７５２０ａの前後間口寸法Ａ２は、第２係止部１５４´の前後寸法Ｂ２に比べて大きい。これにより、プラグコネクタ１は、ベースコネクタ７に対して水平姿勢のまま底面同士が接するまで降下しうる。そして最降下位置に達する。
【００７１】
プラグコネクタ１がベースコネクタ７に対して最降下位置に達する嵌合過程では、図１２の（１）及び（２）に示されるように、プラグコンタクト２０とベースコンタクト８０とはまだ接触を開始していない。すなわちこの間コンタクト同士を嵌合させるための力は要しない。これにより、プラグハウジング１０とベースハウジング７０との嵌合面のクリアランス設計によっては自重でプラグコネクタ１は最降下位置にまで達しうる。ここでプラグコンタクト２０と、ベースコンタクト８０は第２実施形態で使用した図８で示されるものを適用してよい。
【００７２】
ステップ２、図１１の（２）に示されるように、最降下位置にあるプラグコネクタ１は、ベースコネクタ７に対して後方に移動されて嵌合終了位置に至る。嵌合終了位置で第１
係止部１５０´は第１抑止部７５１´の下方に入り、第２係止部１５４´は第２抑止部７５３´の下方に入る。これにより、第１係止面１５１´は第１抑止面７５１´ａと対峙し、第２係止面１５７´は第２抑止面７５３´ａと対峙する。これにより、プラグコネクタ１のベースコネクタ７に対する上方向の抜出しが抑止されることとなる。
また水平移動の過程で係止レバー１７の係止凸部１８は、図１２に示されるように、第１被係止空間７５００ａの被係止凸部７５０ｄ´を乗り越えて乗り越え位置から先に進むので係止凸部１８と被係止凸部７５０ｄ´とは前後方向の係止状態に至りプラグコネクタ１のベースコネクタ７に対する前方抜出しが抑止される。一方プラグコネクタ１のベースコネクタ７に対する後方抜出しはプラグハウジング１の第２係止部１５４´の後面がベースハウジング７０の第２被係止部７５２０の押し当て部７５３´ｂの前面との当接によって抑止されている。
【００７３】
プラグコネクタ１がベースコネクタ７に対して最降下位置から嵌合終了位置にまで移動する嵌合過程で、図１２の（２）及び（３）に示されるように、プラグコンタクト２０の接触部２３´とベースコンタクト８０の接触部８３´とは接続を開始し嵌合過程で正規接続状態に至る。
【００７４】
ステップ３、図１１の（３）に示されるように、プラグコネクタ１のベースコネクタ７に対する嵌合終了位置で第１係止部１５０´の第１係止面１５１´は第１抑止部７５１´の第１抑止面７５１´ａと対峙し、第２係止部１５４´の第２係止面１５７´は第２抑止部７５３´の第２抑止面７５３´ａと対峙する。これにより、前後２箇所でプラグコネクタ１のベースコネクタ７に対する上方向の抜出しが抑止されることとなる。また、係止レバー１７の係止凸部１８は第１被係止空間７５００ａの被係止凸部７５０ｄ´と係止状態になる。これにより、プラグコネクタ１の前方への抜出しが抑止されることとなる。後方への抜け出し抑止はプラグハウジング１０の第２係止部１５４´と第２被係止部７５２０の押し当て部７５３´ｂとの対峙による。
【００７５】
このようにして、嵌合終了位置にあるプラグコネクタ１はベースコネクタ７に対して前方向の抜出し及び上方向の抜出しが各係止機構により抑止されている。
【００７６】
＜取り出し過程＞
嵌合終了状態にあるプラグコネクタ１のベースコネクタ７からの取り出しは嵌合手順の逆手順によっておこなわれる。嵌合終了位置にあるプラグコネクタ１の前壁１３上端に備わる取出し部１３ａの先端を前方へ向けて引き出すと、図１０、図１１に示されるように、プラグコネクタ１はベースコネクタ７に対して水平姿勢のまま前方への移動を開始する。前方への移動途中に係止凸部１８が被係止凸部７５０ｄ´を乗り越える乗り越え位置があり、この乗り越え位置を通過したところに取り出し位置（最降下位置）がある。取り出し位置（最降下位置）にあるプラグコネクタ１は、前後２箇所の係止が解かれて上方向への抜出し抑止が解除された状態にある。これにより、プラグコネクタ１をベースコネクタ７に対して垂直方向に持上げることにより容易に取り出し操作が進められる。プラグコンタクト２０とベースコンタクト８０との接続状態は、嵌合終了位置から前方への移動過程で解かれる。これにより、接触部２３´の挟持片２４´、２４´はベースコンタクト８０の接触部８３´から外れこれにより電気的に接続状態が断たれる。
このように変更した場合でも概ね上述した効果が得られる。
【００７７】
＜第５実施形態＞
第５実施形態に係るコネクタ構造を図に従って説明する。図１３は、第５実施形態に係るプラグコネクタとベースコネクタとの外観斜視図であって、（１）は嵌合状態のコネクタ構造、（２）はプラグハウジングの裏面、（３）はベースコネクタの表面である。図１４は、図１３のＸＩＶ−ＸＩＶ断面線における断面図であって、（１）は最降下位置、（
２）は嵌合終了位置である。
【００７８】
＜中央係止部＞
プラグハウジング１０の後方寄りの中央部には、図１３に示されるように、後端に開口部を有する穴状９０ａの中央係止部９０が備わる。
ベースハウジング７０の左右側壁７５、７５に繋がる底壁７２の前方中央部には、図１３に示されるように、中央被係止部本体９５が備わる。中央被係止部本体９５の前面上端寄りに突状の中央被係止部９６が備わる。
【００７９】
最降下位置から嵌合終了位置までの水平移動の途中で、プラグハウジング１０の穴状の中央係止部９０にベースハウジング７０の突状の中央被係止部９６が係り始める。そして嵌合終了位置で中央係止部９０と、中央被係止部９６とは係止完了状態に至る。
中央係止部９０と、中央被係止部９６とが嵌合終了位置で係止完了状態に至ることにより、プラグコネクタ１のベースコネクタ７に対する上方向の抜出しが抑止されることとなる。
また、左右方向の中央部に係止機構が備わるので、プラグコネクタの中央部が上方へ反りかえる姿勢を抑制することができる。これにより、電気的機械的な確実な嵌合状態が担保されたコネクタ構造が得られる。
【００８０】
＜ロックレバー１＞
取出し部１３ａの中央部には、図１３に示されるように、切り欠きにより形成されたロックレバー９７が備わる。ロックレバー９７は前端が上下方向に変位可能な片持ち梁である。ロックレバー９７の基端部は取出し部の後端近傍にある。
ロックレバー９７の下面には、図１３に示されるように、前端には台座状の操作部９７ａが備わり、中央部には突起部９７ｂが備わる。突起部９７ｂの後面にはテーパー面が形成されている。操作部９７ａは、取出し部１３ａ下面より下方に張出し台座状相当の厚みを備えている。
ベースハウジング７０の前壁７３の中央部には、図１３に示されるように、前壁７３の前面部分を一部残して形成された窪み状の被係止部９８が備わる。
【００８１】
ロックレバー９７の突起部９７ｂは、図１４に示されるように、最降下位置から嵌合終了位置までの移動過程で、前壁７３の被係止部９８に係り始める。さらに進んで乗り越え、そして係止完了位置に至る。係止完了位置で、突起部９７ｂの前面は被係止部９８の後面に対峙し、この位置で確実な係止状態に至る。これにより、プラグコネクタ１の前方向の抜出しが抑止されたコネクタ構造が得られる。
【００８２】
プラグコネクタ１の取出しは、ロックレバー９７の操作部９７ａの下面を持ち上げるようにしておこなう。所定量の変位でロックレバー９７は解除状態になり、プラグコネクタ１の前方への移動が可能になる。この状態でプラグコネクタ１全体を前方に抜出して最降下位置まで移動させる。この状態でプラグコネクタ１を上方に持ち上げてベースコネクタ７から取り外す。
【００８３】
ロックレバー９７を解除する際、たとえば人差指で操作部９７ａの下面に触れてロックレバー９７全体を上方へ持ち上げると、所定量変位したところで操作部９７ａより左右にはみだしている指先の両端部分は、周辺の取出し部１３ａの下面に当たるようになる。このときロックレバー９７は解除位置にあるので、ロックレバー９７の過度の移動が抑制され、ロックレバー９７の曲がりや、折損が抑制されることとなる。
【００８４】
このように実施形態を変更した場合でも概ね上述した効果が得られる。
【００８５】
＜第６実施形態＞
第６実施形態に係るコネクタ構造を図に従って説明する。図１５は、第６実施形態に係るプラグコネクタとベースコネクタとの外観斜視図であって、（１）は嵌合状態のコネクタ構造、（２）はプラグハウジングの裏面、（３）はベースコネクタの表面である。図１６は、図１５のＸＶＩ−ＸＶＩ断面線における断面図であって、（１）は最降下位置、（２）は嵌合終了位置である。
【００８６】
＜ロックレバー２＞
プラグハウジング１０の上壁１１には、図１５、図１６に示されるように、左右中央部の前寄り位置に中央穴部９９が備わる。
中央穴部９９の後方には後方穴部９９ｃが備わる。
中央穴部９９は、前後に延びる長穴で前方域９９ｂと、後方域９９ａとを有している。前方域９９ｂの前方壁面下端にはテーパー面が形成されている。後方域の後方壁面は平坦面である。
後方穴部９９ｃは、平面視略正方形である。後方穴部９９ｃの前方壁面下端にはテーパー面が形成されている。後方穴部９９ｃの後方壁面は平坦面である。
ベースハウジング７０の前壁７３には、後面から後方に延びるロックレバー１００が備わる。ロックレバー１００は、上下方向に移動可能な片持ち梁である。
ロックレバー１００の上面には、図１５、図１６に示されるように、先端に中央突部１００ａが備わり、やや前方寄りに操作部１００ｂが備わる。中央突部１００ａの後面上端にはテーパー面が形成されており、前面には略全域にテーパー面が形成されている。
操作部１００ｂの前面は、略全域に亘ってテーパー面が形成されている、後面は平坦である。
【００８７】
＜嵌合操作＞
プラグコネクタ１が嵌合開始位置から最降下位置まで降下したとき、図１６の（１）に示されるように、ロックレバー１００の操作部１００ｂはプラグハウジング１０の上壁に形成された中央穴部９９の後方域９９ａに嵌るとともに、中央突部１００ａは後方穴部９９ｃに嵌る。この状態でロックレバー１００に撓みは生じていない。
プラグコネクタ１が最降下位置から後方へ移動して嵌合終了位置に至る移動過程で、まずロックレバー１００の中央突部１００ａ前面のテーパー面が後方穴部９９ｃ前方壁面に形成されたテーパー面上をすべるように移動する。この過程でロックレバー１００は下方向に撓むので、プラグコネクタ１は後方への移動が可能状態になる。
この状態で、プラグコネクタ１をさらに後方へ押し進めると、図１６の（２）に示されるように、嵌合終了位置に至る。嵌合終了位置で、ロックレバー１００の撓みは解かれて全体が元の位置に戻りロック状態になる。この状態でロックレバー１００の中央突部１００ａは中央穴部９９の後方域９９ａに嵌り、操作部１００ｂは中央穴部９９の前方域９９ｂに嵌る。ロック状態で、中央突部１００ａの後面は中央穴部９９の後方壁面に接するように対峙する（係止状態）。これにより、プラグコネクタ１の前方への移動は抑制される。
ロック状態で、ロックレバー１００の操作部１００ｂの先端は、中央穴部９９から張出している。
【００８８】
ロックレバー１００の解除は、操作部１００ｂを指先で押し下げておこなう。ロックレバー１００の下方への所定量の変位で、中央穴部９９と中央突部１００ａとは解除可能状態になる。この状態で、プラグハウジング１０を前方の最降下位置にまで移動し、そのまま真上に持ち上げてプラグコネクタ１をベースコネクタ７から取り外す。
指先でロックレバー１００を押し下げる際、操作部１００ｂからはみだした指先部分は、解除位置で上壁１１上面に当接する。これにより、ロックレバー１００の過度の変形が抑制されるのでロックレバーの変形や損傷が抑制されたコネクタ構造が得られる。
【００８９】
このように実施形態を変更した場合でも概ね上述した効果が得られる。
【符号の説明】
【００９０】
１          プラグコネクタ
１０        プラグハウジング
１１        上壁
１２        底壁
１２ａ      被係止部
１３        前壁
１３ａ      取出し部
１４        後壁
１４０      開口部
１４１      コンタクト収容室
１５        側壁
１５０      第１係止部
１５０ａ    係止部突起
１５１      第１係止面
１５４      第２係止部
１５５      縦部
１５５ａ    ガイド面
１５６      突出部
１５７      第２係止面
２０        プラグコンタクト
２１        接続部
２２        連結部
２３        接触部
２４        挟持片
２５        係止部
７          ベースコネクタ
７０        ベースハウジング
７１        上面開口部
７１ａ      収容室
７２        底壁
７３        前壁
７４        後壁
７５        側壁
７５００      第一被係止部
７５０        第１溝部
７５００ａ    第１被係止空間
７５０ａ    前面
７５０ｂ    後面
７５０ｃ    底面
７５０ｄ    溝部突起  
７５１      第１抑止部
７５２０      第２被係止部
７５２      第２溝部
７５２０ａ    第２被係止空間
７５２ａ    前面
７５２ｂ    後面
７５３      第２抑止部
８０        ベースコンタクト
８１        接続部
８２        本体部
８３        接触部
９０        中央係止部
９０ａ      穴部
９５        中央被係止部本体
９６        中央被係止部
９７        ロックレバー
９７ａ      操作部
９７ｂ      突起部
９８        被係止部
９９        中央穴部
９９ａ      後方域
９９ｂ      前方域
９９ｃ      後方穴部
１００      ロックレバー
１００ａ    中央凸部
１００ｂ    操作部
Ｗ          電線
【図１】
2020031046.tif 000003
【図２】
2020031046.tif 000004
【図３】
2020031046.tif 000005
【図４】
2020031046.tif 000006
【図５】
2020031046.tif 000007
【図６】
2020031046.tif 000008
【図７】
2020031046.tif 000009
【図８】
2020031046.tif 000010
【図９】
2020031046.tif 000011
【図１０】
2020031046.tif 000012
【図１１】
2020031046.tif 000013
【図１２】
2020031046.tif 000014
【図１３】
2020031046.tif 000015
【図１４】
2020031046.tif 000016
【図１５】
2020031046.tif 000017
【図１６】
2020031046.tif 000018